(57)【特許請求の範囲】
【請求項１】
床面上に立設される第一パネル、前記第一パネルの幅方向の両端部に各別に接続されるとともに、前記幅方向で対向した状態で前記第一パネルの厚さ方向に延在する第二パネル及び第三パネルを備えたブース本体と、
前記ブース本体内に設けられ、上面が作業面とされた天板と、
平面視において前記第三パネルのうち前記第一パネルとは反対側に位置する第一端部に接続され、前記幅方向で前記第二パネルに向かうに従い前記第一パネルから離間するよう傾斜して延び、前記第二パネルのうち前記第一パネルとは反対側に位置する第一端部との間に前記ブース本体内への出入口を形成する傾斜パネルと、を備え、
前記天板は、
前記第一パネル及び前記第二パネルに沿って延びるパネル側端縁部と、
前記幅方向において、前記第二パネル側に位置する第一端から前記第三パネル側に向かうに従い前記第一パネルに接近する方向に延びる第一縁部を有した前端縁部と、を備える
ブース。
【請求項２】
前記傾斜パネルは、平面視において、前記第一端と、前記前端縁部において前記第一パネルの最も近くに位置する第二端とを結ぶ第１仮想線に直交し、かつ前記第一パネルと前記第二パネルとの間の角部を通る第２仮想線上に配置されている
請求項１に記載のブース。
【請求項３】
前記前端縁部の前記第二端は、前記第三パネルに対して前記幅方向に離間し、
前記前端縁部は、前記第二端から前記第三パネル側に向かって延びる第二縁部を有する
請求項２に記載のブース。
【請求項４】
前記天板の前記第一端は、前記第二パネル側の前記第一端部よりも前記第一パネル側に配置されている
請求項１から３のいずれか一項に記載のブース。
【請求項５】
前記天板の前記第一縁部、及び前記傾斜パネルは、平面視で直線状に延びている
請求項１から４のいずれか一項に記載のブース。
【請求項６】
前記傾斜パネルは、平面視で前記天板の前記第一縁部と平行に延びている
請求項５に記載のブース。
【請求項７】
前記傾斜パネルは、前記第三パネルの前記第一端部からのパネル幅寸法が、前記天板の前記第一縁部の幅寸法よりも小さい
請求項１から６のいずれか一項に記載のブース。
【請求項８】
前記第二パネルの前記第一端部及び前記傾斜パネルのうち前記第二パネル側に位置する先端部は、平面視において、前記ブース本体の外方を向く外面側から前記ブース本体の内方を向く内面側に向かうに従い、パネル幅寸法が小さくなるように傾斜している
請求項１から７のいずれか一項に記載のブース。
【発明の詳細な説明】
【技術分野】
【０００１】
本発明は、ブースに関する。
【背景技術】
【０００２】
上面に作業面を有するデスク天板の周囲に仕切壁を設けることで、デスクにおける作業環境を向上させることが行われている（例えば、特許文献１参照）。しかし、特許文献１に開示されたような構成では、デスク天板に向かって作業を行う作業者の背後に、仕切壁が設けられていない。このため、デスク天板上で例えばモニタ装置を使用する場合、作業者の背後からモニタ装置の表示内容が他者により覗き込まれることがある。
【０００３】
これに対し、特許文献２には、出入口が形成されている部分筒状のスクリーンと、このスクリーンの内側に取付けられた天板と、を備えるブースが開示されている。このような構成では、出入口となる部分を除き、天板が設けられた空間がスクリーンによって取り囲まれる。このため、天板上に用いるモニタ装置の表示内容が、作業者の背後から覗き込まれることが抑えられる。
【先行技術文献】
【特許文献】
【０００４】
【特許文献１】実用新案登録第３００９７７５号公報
【特許文献２】特開２０１８−８４０３２号公報
【発明の概要】
【発明が解決しようとする課題】
【０００５】
ところで、特許文献２に開示されたようなブースは、全体として正六角柱に沿った形状、正八角柱に沿った形状、円柱に沿った形状等とすることができるとされている。ブースを正六角柱、正八角柱、円柱等に沿った形状とした場合、ブースが設置される室内の他の什器や、壁面等との間にデッドスペースが生じ、ブースが設置される設置空間内の有効利用の妨げとなる。
また、特許文献２には、ブースを、直方体や立方体に沿った形状とすることも開示されているが、ブースを直方体や立方体に沿った形状とするにしても、ブース内の使い心地を向上させるためにブースを大型化すれば、ブースが設置される設置空間内の有効利用の妨げとなる。これに対し、ブースを小型化すると、ブース内のスペースが狭くなり、利用者にとっての使い心地の低下に繋がる。
本発明は、天板上の作業空間を背後から覗き込まれることを抑えつつ、設置空間内のスペース利用効率を高めるとともに、使い心地を向上させることができるブースを提供することを目的とする。
【課題を解決するための手段】
【０００６】
上記目的を達成するために、本発明の一態様に係るブースは、床面上に立設される第一パネル、前記第一パネルの幅方向の両端部に各別に接続されるとともに、前記幅方向で対向した状態で前記第一パネルの厚さ方向に延在する第二パネル及び第三パネルを備えたブース本体と、前記ブース本体内に設けられ、上面が作業面とされた天板と、平面視において前記第三パネルのうち前記第一パネルとは反対側に位置する第一端部に接続され、前記幅方向で前記第二パネルに向かうに従い前記第一パネルから離間するよう傾斜して延び、前記第二パネルのうち前記第一パネルとは反対側に位置する第一端部との間に前記ブース本体内への出入口を形成する傾斜パネルと、を備え、前記天板は、前記第一パネル及び前記第二パネルに沿って延びるパネル側端縁部と、前記幅方向において、前記第二パネル側に位置する第一端から前記第三パネル側に向かうに従い前記第一パネルに接近する方向に延びる第一縁部を有した前端縁部と、を備える。
【０００７】
このように天板のパネル側端縁部を少なくとも第一パネル及び第二パネルに沿わせた上で、第二パネル側の第一端から第三パネル側に向かって第一パネル側に接近する第一縁部を前端縁部に設けている。これにより、天板の第一縁部に向き合って天板上の作業面を利用する利用者は、第一パネルに正対せず、平面視で、第一パネルと第二パネルとの角部側を向くように促される。この状態で、利用者の背後には、傾斜パネルが設けられているので、天板上の作業空間を背後から覗き込まれることが抑えられる。
また、ブース本体は、第一パネル、第二パネル及び第三パネルによって平面視で方形状となるため、ブースの設置空間内に設けられる他の什器や壁等との間にデッドスペースが生じるのを抑えることができる。
また、傾斜パネルは、平面視で、天板の前端縁部の第一縁部と同じ方向に傾斜しているので、傾斜パネルと天板の前端縁部との間の間隔が狭められるのが抑えられ、ブース本体の内外へのアクセス性が良好となる。さらに、天板の作業面は、前端縁部から第一パネルと第二パネルとの角部に向けて斜めに広がり、利用者から見た作業面上の奥行き寸法を大きく確保することができる。また、例えば椅子に着座して天板の作業面を利用する場合、天板の下方における利用者の下肢の収容スペースも、天板の前端縁部側から第一パネルと第二パネルとの角部に向かって斜めに広く確保することができる。このようにして、ブース本体を小型化しても、ブース内における使い心地を向上させることができる。
したがって、天板上の作業空間を背後から覗き込まれることを抑えつつ、設置空間内のスペース利用効率を高めるとともに、使い心地を向上させることが可能となる。
【０００８】
本発明の一態様に係るブースにおいて、前記傾斜パネルは、平面視において、前記第一端と、前記前端縁部において前記第一パネルの最も近くに位置する第二端とを結ぶ第１仮想線に直交し、かつ前記第一パネルと前記第二パネルとの間の角部を通る第２仮想線上に配置されているようにしてもよい。
この構成によれば、天板の第一縁部に向き合って天板上の作業面を利用する利用者の背後に傾斜パネルが位置することになる。したがって、天板上の作業空間を背後から覗き込まれることを、確実に抑えることができる。
【０００９】
本発明の一態様に係るブースにおいて、前記前端縁部の前記第二端は、前記第三パネルに対して前記幅方向に離間し、前記前端縁部は、前記第二端から前記第三パネル側に向かって延びる第二縁部を有するようにしてもよい。
この構成によれば、天板には、天板の第一縁部に向かって位置する作業者から見て第三パネル側に、第二縁部と第一パネルに沿う後縁部との間に広がる作業面が形成される。これにより、天板の作業面上のスペースが広がり、作業者にとっての使い心地が向上する。
【００１０】
本発明の一態様に係るブースにおいて、前記天板の前記第一端は、前記第二パネル側の前記第一端部よりも前記第一パネル側に配置されているようにしてもよい。
この構成によれば、天板の第一端よりも第一パネルから離間する方向に第二パネルが突出している。これにより、作業者から見て第二パネル側からの視線を遮ることができる。これによって、作業者にとっての使い心地が向上する。
【００１１】
本発明の一態様に係るブースにおいて、前記天板の前記第一縁部、及び前記傾斜パネルは、平面視で直線状に延びているようにしてもよい。
この構成によれば、天板の第一縁部や傾斜パネルを容易に製作することができ、より低コストでブースを提供することが可能となる。
【００１２】
本発明の一態様に係るブースにおいて、前記傾斜パネルは、平面視で前記天板の前記第一縁部と平行に延びているようにしてもよい。
この構成によれば、傾斜パネルと天板の前端縁部の第一縁部とが平行であるので、傾斜パネルと天板の前端縁部との間の間隔が狭められるのが抑えられ、ブース本体の内外へのアクセス性が低下するのを抑えることができる。
【００１３】
本発明の一態様に係るブースにおいて、前記傾斜パネルは、前記第三パネルの前記第一端部からのパネル幅寸法が、前記天板の前記第一縁部の幅寸法よりも小さいようにしてもよい。
この構成によれば、傾斜パネルのパネル幅寸法が過度に大きくなって、傾斜パネルと第二パネル側の第一端部との間の間隔が狭くなるのを抑えることができる。これにより、ブース本体の内外へのアクセス性が低下するのを抑えることができる。
【００１４】
本発明の一態様に係るブースにおいて、前記第二パネルの前記第一端部及び前記傾斜パネルのうち前記第二パネル側に位置する先端部は、平面視において、前記ブース本体の外方を向く外面側から前記ブース本体の内方を向く内面側に向かうに従い、パネル幅寸法が小さくなるように傾斜しているようにしてもよい。
この構成によれば、出入口を通じてブース本体内に出入りする際に、傾斜パネルの先端部における内面側の端部や、第二パネルの第一端部における内面側端部に干渉するのを抑えることができる。その結果、ブース本体の内外へのアクセス性が低下するのを抑えることができる。
【発明の効果】
【００１５】
本発明の一態様によれば、天板上の作業空間を背後から覗き込まれることを抑えつつ、設置空間内のスペース利用効率を高めるとともに、使い心地を向上させるとともに、使い心地を向上させることができる。
【図面の簡単な説明】
【００１６】
【図１】本発明の実施形態に係るブースの全体構成を示す斜視図である。
【図２】上記ブースの平面図である。
【図３】本発明の実施形態の第一変形例に係るブースの平面図である。
【図４】本発明の実施形態の第二変形例に係るブースの平面図である。
【図５】本発明の実施形態の第三変形例に係るブースの平面図である。
【発明を実施するための形態】
【００１７】
以下、添付図面を参照して、本発明によるブースを実施するための形態を説明する。しかし、本発明はこの実施形態のみに限定されるものではない。以下で説明する実施形態（及び変形例）において、対応する構成については同一の符号を付して説明を省略する場合がある。なお、以下の説明において、例えば「平行」や「直交」、「中心」、「同軸」等の相対的又は絶対的な配置を示す表現は、厳密にそのような配置を表すのみならず、公差や同じ機能が得られる程度の角度や距離をもって相対的に変位している状態も表すものとする。
【００１８】
図１は、本発明の実施形態に係るブース１の全体構成を示す斜視図である。図２は、上記ブース１の平面図である。
図１、図２に示すように、ブース１は、ブース本体１０と、傾斜パネル１４と、天板２０Ａと、を備えている。
【００１９】
ブース本体１０は、床面Ｆ上に設置されている。ブース本体１０は、正面パネル（第一パネル）１１と、右側面パネル（第二パネル）１２と、左側面パネル（第三パネル）１３と、を組み合わせて構成されている。
以下の説明において、正面パネル１１を、その内面１１ｆ（ブース本体１０の内方を向く面）に直交する方向から水平視したときの左右方向を幅方向Ｄｗ、水平面内で正面パネル１１の内面１１ｆに直交する方向（正面パネル１１の厚さ方向）を前後方向Ｄｆ、幅方向Ｄｗ及び前後方向Ｄｆに直交する方向を上下方向Ｄｖとする。さらに、前後方向Ｄｆにおいて、ブース本体１０の正面パネル１１側を後方、その反対側を前方とする。
【００２０】
正面パネル１１は、床面Ｆに直交する上下方向Ｄｖに沿って、床面Ｆ上に立設されている。正面パネル１１は、上下方向Ｄｖに長い長方形の板状である。
【００２１】
右側面パネル１２は、正面パネル１１の幅方向Ｄｗ第一側（右側）に配置されている。右側面パネル１２は、上下方向Ｄｖに長い長方形状の板状で、床面Ｆ上に立設されている。右側面パネル１２は、正面パネル１１の右側の端部１１ａに連結されている。右側面パネル１２は、正面パネル１１の端部１１ａから前方に延びている。
【００２２】
左側面パネル１３は、正面パネル１１の幅方向Ｄｗ第二側（左側）に配置されている。左側面パネル１３は、上下方向Ｄｖに長い長方形状の板状で、床面Ｆ上に立設されている。左側面パネル１３は、正面パネル１１の左側の端部１１ｂに連結されている。左側面パネル１３は、正面パネル１１の端部１１ｂから前方に向け延びている。本実施形態において、右側面パネル１２及び左側面パネル１３は、平面視において、正面パネル１１の内面１１ｆに直交し、互いに平行に延在している。但し、右側面パネル１２及び左側面パネル１３は、幅方向Ｄｗに対向した状態で前後方向Ｄｆに延在していればよい。
【００２３】
正面パネル１１、右側面パネル１２、及び左側面パネル１３は、それぞれ、同様の構造を有したパネル体Ｐからなる。パネル体Ｐは、例えば、矩形のパネル本体（不図示）と、パネル本体の四辺に沿って設けられた枠材Ｐｅと、下辺の枠材に設けられて床面Ｆ上に接地される脚部（不図示）と、を備えている。なお、パネル体Ｐの材質や構造については何ら限定するものではなく、上記に示した以外の構成を適宜採用可能である。また、正面パネル１１、右側面パネル１２及び左側面パネル１３は、一体に形成されていてもよい。
【００２４】
ブース本体１０の内側には、正面パネル１１、右側面パネル１２、及び左側面パネル１３に囲まれることで、前方を向く開口１００ｋを有するブース内空間１００が形成されている。本実施形態において、正面パネル１１、右側面パネル１２、及び左側面パネル１３は、ブース内空間１００に面する側のパネル幅寸法Ｓｐが同一とされている。これにより、ブース本体１０は、平面視正方形状とされている。但し、各パネル１１，１２，１３のパネル幅寸法Ｓｐは、互いに異なっていてもよい。
【００２５】
天板２０Ａは、ブース本体１０内に設けられている。天板２０Ａは、板状で、上下方向Ｄｖに直交する水平面に沿って設けられている。天板２０Ａの上面は、平坦な作業面２０ｆを構成している。
図２に示すように、天板２０Ａは、パネル側端縁部２１と、前端縁部２２Ａと、を有している。パネル側端縁部２１は、正面パネル１１の内面１１ｆに沿って幅方向Ｄｗに延びる後端縁２１ａと、右側面パネル１２の内面１２ｆに沿って前後方向Ｄｆに延びる右側端縁２１ｂと、左側面パネル１３の内面１３ｆに沿って前後方向Ｄｆに左側端縁２１ｃと、を有している。天板２０Ａは、パネル側端縁部２１を、正面パネル１１、右側面パネル１２、左側面パネル１３に沿わせた状態で、ブラケット（不図示）や床面Ｆから起立する脚（不図示）等により固定されている。なお、パネル側端縁部２１は、対向するパネル１１〜１３の内面１１ｆ〜１３ｆに近接していれば、必ずしも接触していなくてもよい。
【００２６】
天板２０Ａの前端縁部２２Ａは、第一縁部２２ａと、第二縁部２２ｂと、を備えている。第一縁部２２ａは、前端縁部２２Ａにおいて、第二縁部２２ｂに対して右側（右側面パネル１２側）に位置している。
【００２７】
第一縁部２２ａは、右側端である第一端２２ｅから左側端である第二端２２ｆに向かうに従い、正面パネル１１に漸次接近するよう、後方に傾斜して延びている。本実施形態において、第一縁部２２ａは、第一端２２ｅから第二端２２ｆにかけて、平面視で直線状に延びている。第一縁部２２ａの第一端２２ｅは、前端縁部２２Ａ全体の右側端を構成している。すなわち、第一端２２ｅは、右側端縁２１ｂの前端と交わっている。一方、第一縁部２２ａの第二端２２ｆは、左側面パネル１３に対して幅方向Ｄｗで離間している。なお、第一端２２ｅは、右側面パネル１２の前端部（第一端部）１０ｂ（以下、ブース右前端部１０ｂという。）よりも所定寸法後方に配置されている。
【００２８】
第二縁部２２ｂは、第一縁部２２ａの第二端２２ｆから左側に延びている。第二縁部２２ｂは、幅方向Ｄｗに沿って直線状に延び、左側面パネル１３の内面１３ｆに直交している。なお、第一縁部２２ａの第二端２２ｆ及び第二縁部２２ｂは、前端縁部２２Ａにおける最後部を構成し、正面パネル１１に最も接近している。
【００２９】
天板２０Ａの前端縁部２２Ａにおいて、第一縁部２２ａの延在方向（第一端２２ｅと第二端２２ｆとを結ぶ方向）での幅寸法Ｗ１は、第二縁部２２ｂの延在方向（幅方向Ｄｗ）の幅寸法Ｗ２よりも長く形成されている。
【００３０】
また、天板２０Ａには、例えば、作業面２０ｆ上で使用する電気機器に接続する各種配線が挿通される配線挿通部２５が設けられている。また、天板２０Ａの作業面２０ｆよりも上方には、照明装置２６が設けられている。照明装置２６は、例えばブース本体１０の正面パネル１１に固定されている。なお、天板２０Ａやブース本体１０には、配線挿通部２５、照明装置２６以外の各種オプション部材を備えることが可能である。
【００３１】
ブース内空間１００において、第一縁部２２ａと対向する位置には椅子Ｃが設けられている。椅子Ｃは、上下方向Ｄｖに沿う軸線回りに回転可能に構成されている。なお、椅子Ｃは、例えば床面Ｆに固定されていても、キャスター等によって床面Ｆ上を走行可能であってもよい。また、椅子Ｃは、ブース本体１０から延出したアーム等により支持されていてもよい。
【００３２】
傾斜パネル１４は、左側面パネル１３の前端部（第一端部）１０ａ（以下、ブース左前端部１０ａという。）に連結されている。傾斜パネル１４は、ブース左前端部１０ａから右側に向かうに従い前方（正面パネル１１から離間する方向）に傾斜して延びている。傾斜パネル１４の先端部１４ｓ（ブース左前端部１０ａと反対側の端部）は、ブース右前端部１０ｂとの間に間隔を空けて配置されている。これにより、傾斜パネル１４の先端部１４ｓとブース左前端部１０ａとの間には、ブース内空間１００に出入りするための出入口１００ｅが形成されている。
【００３３】
本実施形態において、傾斜パネル１４は、平面視で直線状に延びている。傾斜パネル１４は、平面視で天板２０Ａの第一縁部２２ａと平行に延びている。
傾斜パネル１４は、前端縁部２２Ａにおいて第一縁部２２ａの第一端２２ｅと第二端２２ｆとを結ぶ第１仮想線Ｌ１に直交し、かつ正面パネル１１と右側面パネル１２との間の角部１０ｃを通る第２仮想線Ｌ２上に位置している。本実施形態において、第２仮想線Ｌ２は、傾斜パネル１４の先端部１４ｓ寄りに位置する部分で傾斜パネル１４に交差している。但し、第２仮想線Ｌ２は、傾斜パネル１４のパネル幅寸法Ｓ１（傾斜パネル１４の外面１４ｇ上での長さ）内で交差していてればよい。ここで、傾斜パネル１４、及び天板２０Ａ（第一縁部２２ａ）は、第２仮想線Ｌ２が、平面視で、右側面パネル１２の内面１２ｆに対して、例えば４５°以下をなすような角度θで形成するのが好ましい。
【００３４】
また、傾斜パネル１４の先端部１４ｓは、外面１４ｇ（ブース本体１０の外方を向く面）側の端部１４ｕから内面１４ｆ（ブース本体１０の内方を向く面）側の端部１４ｔに向かうに従い傾斜パネル１４の延在方向（パネル幅方向）の寸法が漸次小さくなるように傾斜して形成されている。これにより、先端部１４ｓには、傾斜パネル１４の延在方向に対して傾斜する先端傾斜面１４ｍが形成されている。図示の例において、先端傾斜面１４ｍは、前後方向Ｄｆに沿って延在している。但し、先端傾斜面１４ｍは、内面１４ｆ側の端部１４ｔが、外面１４ｇ側の端部１４ｕよりも左側に位置していても、右側に位置していてもよい。
【００３５】
ブース本体１０のブース右前端部１０ｂは、右側面パネル１２の外面１２ｇ（ブース本体１０の外方を向く面）側の端部１２ｕから右側面パネル１２の内面１２ｆ（ブース本体１０の内方を向く面）側の端部１２ｔに向かうに従い、右側面パネル１２の延在方向（前後方向Ｄｆ）でのパネル幅寸法が漸次小さくなるように傾斜して形成されている。これにより、ブース右前端部１０ｂには、内面１２ｆ側の端部１２ｔが、外面１２ｇ側の端部１２ｕよりも後方に位置する前端傾斜面１０ｔが形成されている。なお、傾斜パネル１４の先端部１４ｓ及びブース右前端部１０ｂは、延在方向の直交する平坦面であってもよい。
【００３６】
また、傾斜パネル１４は、外面１４ｇ上でのブース左前端部１０ａからのパネル幅寸法Ｓ１が、天板２０Ａの第一縁部２２ａの幅寸法Ｗ１よりも小さくなるように設けるのが好ましい。また、傾斜パネル１４のパネル幅寸法Ｓ１は、正面パネル１１のパネル幅寸法Ｓｐの１／２以下とするのが好ましい。これにより、傾斜パネル１４の先端部１４ｓとブース右前端部１０ｂとの間の出入口１００ｅの幅が広く確保される。
【００３７】
上記したようなブース１の利用者は、傾斜パネル１４の先端部１４ｓとブース右前端部１０ｂとの間に形成された出入口１００ｅを通ってブース本体１０内（ブース内空間１００）に出入りする。利用者は、ブース１内で、例えば椅子Ｃに着座し、天板２０Ａの第一縁部２２ａに向き合った状態で、天板２０Ａ上の作業面２０ｆを利用する。このとき、利用者が、正面パネル１１に正対せず、天板２０Ａの第一縁部２２ａに正対することになる。すると、利用者は、平面視で、正面パネル１１の右側端部（正面パネル１１と右側面パネル１２との角部１０ｃ）側を向くように促される。
この状態で、利用者の背後には傾斜パネル１４が設けられ、利用者の背後からの視界が遮られる。また、利用者の右側方には出入口１００ｅが形成されているため、利用者が閉塞感を感じることが抑えられる。また、利用者は、出入口１００ｅを通して、右側方から接近する人を視認しやすい。また、出入口１００ｅを通して、ブース１の外部から見たときにブース１内の利用者を視認しやすい。
【００３８】
このように、本実施形態では、ブース１は、正面パネル１１、右側面パネル１２、及び左側面パネル１３を備えたブース本体１０と、天板２０Ａと、ブース本体１０のブース左前端部１０ａから傾斜して延びる傾斜パネル１４と、を備える。天板２０Ａは、右側面パネル１２側の第一端２２ｅから左側面パネル１３側に向かって正面パネル１１側に接近する方向に延びる第一縁部２２ａを有した前端縁部２２Ａを備えている。
このような構成によれば、天板２０Ａの前端縁部２２Ａに第一縁部２２ａを設けることで、天板２０Ａの第一縁部２２ａに向き合う利用者は、正面パネル１１と右側面パネル１２との角部１０ｃ側を向くことになる。この場合、天板２０Ａを利用者から見て、利用者の背後には、傾斜パネル１４が設けられるので、天板２０Ａ上の作業空間を背後から覗き込まれることが抑えられる。
また、ブース本体１０は、平面視矩形状となるため、ブース１が設置される設置空間内に設けられる他の什器や壁等との間にデッドスペースが生じるのを抑えることができる。
また、傾斜パネル１４は、天板２０Ａの前端縁部２２Ａの第一縁部２２ａと同じ方向に傾斜しているので、傾斜パネル１４と天板２０Ａの前端縁部２２Ａとの間の間隔が狭められるのが抑えられ、ブース本体１０の内外へのアクセス性が良好となる。さらに、天板２０Ａの作業面２０ｆは、前端縁部２２Ａから角部１０ｃに向けて斜めに広がり、利用者から見た作業面２０ｆ上の奥行き寸法Ｄ（第２仮想線Ｌ２に沿う方向）を大きく確保することができる。また、椅子Ｃに着座して天板２０Ａの作業面２０ｆを利用する場合、天板２０Ａの下方における利用者の下肢の収容スペースも、天板２０Ａの前端縁部２２Ａ側から角部１０ｃに向かって斜めに広く確保することができる。このようにして、ブース本体１０を小型化しても、ブース１内における使い心地を向上させることができる。
したがって、上記ブース１によれば、天板２０Ａ上の作業空間を背後から覗き込まれることを抑えつつ、設置空間内のスペース利用効率を高めるとともに、使い心地を向上させることが可能となる。
【００３９】
本実施形態では、傾斜パネル１４は、前端縁部２２Ａの第一端２２ｅと、前端縁部２２Ａにおいて正面パネル１１の最も近くに位置する第二端２２ｆとを結ぶ第１仮想線Ｌ１に直交し、かつ角部１０ｃを通る第２仮想線Ｌ２上に配置されている構成とした。
このような構成によれば、天板２０Ａの第一縁部２２ａに向き合って天板２０Ａ上の作業面２０ｆを利用する利用者の背後に傾斜パネル１４が位置することになる。したがって、天板２０Ａ上の作業空間を背後から覗き込まれることを、より確実に抑えることができる。
【００４０】
本実施形態では、前端縁部２２Aは、第二端２２ｆから左側面パネル１３に向かって延びる第二縁部２２ｂを有する構成とした。
この構成によれば、天板２０Aには、第一縁部２２ａに向かう作業者から見て左側に、第二端２２ｆよりも左側に広がる作業面２０ｆが形成される。これにより、天板２０Ａの作業面２０ｆ上のスペースが広がり、作業者にとっての使い心地が向上する。
【００４１】
本実施形態では、天板２０Ａの第一端２２ｅは、ブース本体１０のブース右前端部１０ｂよりも前方に配置されている構成とした。
このような構成によれば、天板２０Ａの第一端２２ｅよりもブース本体１０の右側面パネル１２が後方に突出している。これにより、作業者から見て右側面パネル１２側からの視線を右側面パネル１２によって遮ることができる。これによって、作業者にとっての使い心地が向上する。
【００４２】
本実施形態では、天板２０Ａの第一縁部２２ａ、及び傾斜パネル１４は、平面視で直線状に延びている構成とした。
このような構成によれば、天板２０Ａの第一縁部２２ａや傾斜パネル１４を容易に製作することができ、より低コストでブース１を提供することが可能となる。
【００４３】
本実施形態では、傾斜パネル１４は、平面視で天板２０Ａの第一縁部２２ａと平行に延びている構成とした。
このような構成によれば、傾斜パネル１４の先端部１４ｓと天板２０Ａの前端縁部２２Ａとの間の間隔が狭められるのが抑えられ、ブース本体１０の内外へのアクセス性が低下するのを抑えることができる。
【００４４】
本実施形態では、傾斜パネル１４のブース左前端部１０ａからのパネル幅寸法Ｓ１が、天板２０Ａの第一縁部２２ａの幅寸法Ｗ１よりも小さい構成とした。
このような構成によれば、傾斜パネル１４のパネル幅寸法Ｓ１が過度に大きくなって、出入口１００ｅが狭くなるのを抑えることができる。これにより、ブース本体１０の内外へのアクセス性が低下するのを抑えることができる。
【００４５】
本実施形態では、右側面パネル１２のブース右前端部１０ｂ及び傾斜パネル１４の先端部１４ｓは、平面視において、外面１２ｇ、１４ｇ側から内面１２ｆ、１４ｆ側に向かうに従い、パネル１２、１４のパネル幅寸法が小さくなるように傾斜している構成とした。
このような構成によれば、ブース本体１０内に出入りする際に、傾斜パネル１４の先端部１４ｓにおける内面１４ｆ側の端部１４ｔや、ブース右前端部１０ｂにおける内面１２ｆ側の端部１２ｔに干渉するのを抑え、ブース本体１０の内外へのアクセス性が低下するのを抑えることができる。
【００４６】
（実施形態の変形例）
次に、本発明にかかるブースの変形例について説明する。なお、以下に説明する各変形例では、天板の前端縁部の構成が、上記実施形態で示した前端縁部２２Ａと異なる。
（第一変形例）
図３は、本発明の実施形態の第一変形例に係るブース１Ｂの平面図である。
図３に示すように、ブース１Ｂに設けられた天板２０Ｂの前端縁部２２Ｂにおいて、第二縁部２２ｃは、第一縁部２２ａの第二端２２ｆから左側に向かうに従い前方に傾斜して延びている。第二縁部２２ｃは、例えば、平面視で第一縁部２２ａに直交して延びている。なお、第二縁部２２ｂが延びる方向は、平面視で第一縁部２２ａに直交していなくてもよい。
【００４７】
このように、前端縁部２２Ｂが平面視でＶ字状に形成された場合であっても、第一縁部２２ａの第一端２２ｅと第二端２２ｆとを結ぶ第１仮想線Ｌ１に直交し、かつ正面パネル１１と右側面パネル１２との間の角部１０ｃを通る第２仮想線Ｌ２上に傾斜パネル１４が配置されていればよい。本実施形態の第一変形例では、天板２０Ｂに、天板２０Ｂの第一縁部２２ａに向かって位置する作業者から見て左側面パネル１３側で、天板２０Ａの作業面２０ｆのスペースが広がり、作業者にとっての使い心地が向上する。
【００４８】
（第二変形例）
図４は、本発明の実施形態の第二変形例に係るブース１Ｃの平面図である。
図４に示すように、ブース１Ｃに設けられた天板２０Ｃの前端縁部２２Ｃは、平面視において後方に向けて突の円弧状をなしている。具体的に、前端縁部２２Ｃは、第一縁部２２ｐと、第二縁部２２ｑと、を備えている。第一縁部２２ｐは、前端縁部２２Ｃにおいて、第二縁部２２ｑに対して右側に形成されている。
【００４９】
第一縁部２２ｐは、幅方向Ｄｗにおいて、右側端である第一端２２ｈから左側端である第二端２２ｉに向かうに従い正面パネル１１側に漸次接近するよう、後方に延びている。本実施形態において、第一縁部２２ｐは、第一端２２ｈから第二端２２ｉにかけて、後方に湾曲して延びている。
【００５０】
第二縁部２２ｑは、第一縁部２２ｐの第二端２２ｉから左側面パネル１３側に向かって前方に湾曲して延びている。したがって、第一縁部２２ｐは、前端縁部２２Ｃのうち、最も正面パネル１１に接近している。なお、第一縁部２２ｐ及び第二縁部２２ｑは、同一の曲率半径に形成されている。但し、第一縁部２２ｐ及び第二縁部２２ｑ間で曲率半径を異ならせてもよい。
【００５１】
傾斜パネル１４は、前端縁部２２Ｃの第一端２２ｈと第二端２２ｉとを結ぶ第１仮想線Ｌ３に直交し、かつ正面パネル１１と右側面パネル１２との間の角部１０ｃを通る第２仮想線Ｌ４上に配置されている。
【００５２】
（第三変形例）
また、上記実施形態及び各変形例では、前端縁部２２Ａ〜２２Ｃが、第一縁部２２ａ、２２ｐと、第二縁部２２ｂ、２２ｑと、を備えるようにしたが、これに限らない。
図５は、本発明の実施形態の第三変形例に係るブース１Ｄの平面図である。
図５に示すように、ブース１Ｄに設けられた天板２０Ｄの前端縁部２２Ｄは、第一縁部２２ｓのみを備えている。第一縁部２２ｓは、幅方向Ｄｗにおいて、右側端である第一端２２ｊから左側端である第二端２２ｋに向かうに従い正面パネル１１側に漸次接近するよう、後方に延びている。この場合、第二端２２ｋは、前端縁部２２Ｄのうち、最も正面パネル１１に接近している。そして、本変形例においても、第一端２２ｊと第二端２２ｋとを結ぶ第１仮想線Ｌ１に直交し、かつ正面パネル１１と右側面パネル１２との間の角部１０ｃを通る第２仮想線Ｌ２上に傾斜パネル１４が配置されている。
【００５３】
（その他の実施形態）
以上、本発明の好ましい実施例及びその変形例を説明したが、本発明はこれら実施例及び変形例に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、天板２０Ａの第一縁部２２ａ、２２ｐ、２２ｓを、直線状又は曲線状としたが、これ以外にも、例えば平面視波型状、後方に向けて突となる曲線状等としてもよい。
【００５４】
上述した実施形態では、天板２０Ａ、２０Ｂ、２０Ｃ、２０Ｄの第一端２２ｅ、２２ｈ、２２ｊを、ブース右前端部１０ｂよりも後方に配置する構成としたが、これに限らない。天板２０Ａの第一端２２ｅは、前後方向Ｄｆにおいて、ブース右前端部１０ｂと同じ位置に配置されていてもよい。
【００５５】
上述した実施形態では、天板２０Ａ、２０Ｂ、２０Ｃ、２０Ｄのパネル側端縁部２１が、後端縁２１ａと、右側端縁２１ｂと、左側端縁２１ｃとを備える構成としたが、これに限らない。パネル側端縁部２１は、少なくとも、角部１０ｃを挟んだ両側の、後端縁２１ａと右側端縁２１ｂとを有していればよい。
上述した実施形態では、例えば天板２０Ａの作業面２０ｆが水平面内に沿って平坦である構成について説明したが、この構成に限られない。例えば、天板２０Ａの作業面２０ｆが利用者側端縁部である前端縁部２２Ａに向かうに従い下方に向けて傾斜していてもよい。すなわち、前側端縁２２Ａは、平面視において、第一縁部２２ａが右側端である第一端２２ｅから左側端である第二端２２ｆに向かうに従い、正面パネル１１に漸次接近するよう、後方に傾斜して延びていればよい。また、天板２０Ａは、例えば上下昇降可能に構成されていてもよい。
【００５６】
上述した実施形態では、天板２０Ａの第一縁部２２ａ、２２ｐ、２２ｓと、傾斜パネル１４とは、互いに平行に設けたが、これに限らない。天板２０Ａの第一縁部２２ａ、２２ｐ、２２ｓと、傾斜パネル１４とは、平行でなくてもよい。
【００５７】
上述した実施形態では、傾斜パネル１４が左側面パネル１３に接続された構成について説明したが、傾斜パネル１４は右側面パネル１２に接続されていてもよい。
【００５８】
上述した実施形態では、ブース本体１０を平面視正方形状としたが、ブース本体１０を、幅方向Ｄｗ又は前後方向Ｄｆに長い平面視長方形状としてもよい。
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００５９】
１、１Ｂ、１Ｃ、１Ｄ  ブース
１０  ブース本体
１０ａ  ブース左前端部（第三パネルの第一端部）
１０ｂ  ブース右前端部（第二パネルの第一端部）
１０ｃ  角部
１１  正面パネル（第一パネル）
１１ｆ  内面
１２  右側面パネル（第二パネル）
１２ｆ  内面
１２ｇ  外面
１２ｔ  内面側の端部
１２ｕ  外面側の端部
１３  左側面パネル（第三パネル）
１４  傾斜パネル
１４ｆ  内面
１４ｇ  外面
１４ｓ  先端部
１４ｔ  内面側の端部
１４ｕ  外面側の端部
２０Ａ、２０Ｂ、２０Ｃ、２０Ｄ  天板
２０ｆ  作業面
２１  パネル側端縁部
２２Ａ、２２Ｂ、２２Ｃ、２２Ｄ  前端縁部
２２ａ、２２ｐ、２２ｓ  第一縁部
２２ｂ、２２ｃ、２２ｑ  第二縁部
２２ｅ、２２ｈ、２２ｊ  第一端
２２ｆ、２２ｉ、２２ｋ  第二端
Ｄｗ  幅方向
Ｆ  床面
Ｌ１、Ｌ３  第１仮想線
Ｌ２、Ｌ４  第２仮想線
Ｗ２  幅寸法
【図１】
0006868076.tif 000002
【図２】
0006868076.tif 000003
【図３】
0006868076.tif 000004
【図４】
0006868076.tif 000005
【図５】
0006868076.tif 000006